(57)【要約】【課題】近距離無線で通信中であっても、多くの情報をユーザに伝達することのできる無線通信デバイスを提供する。【解決手段】無線通信デバイスであるＳＩＭホルダー１には、ブルートゥースなどの近距離無線通信を実現するための無線通信コントローラ１１とアンテナ１１０を備え、更に、近距離無線通信で受信したデジタル音声情報を出力するための音声変換ユニット１２を備えている。ＳＩＭホルダ−１が近距離無線通信で通信しているときに、ユーザに伝達すべき情報をデジタル音声情報でＳＩＭホルダー１に送信することで、近距離無線でＳＩＭホルダー１が通信しているときであっても、多くの情報をユーザに伝達することができる。【選択図】図２
2007214881.tif 000002
【特許請求の範囲】
【請求項１】
カード状の情報記憶媒体を装着し、無線データ通信機能を備えた無線通信デバイスであって、前記無線通信デバイスは、装着された前記情報記憶媒体と通信する手段と、前記情報記憶媒体に記憶されたデータまたはアプリケーションを利用する外部装置と無線で通信する手段として、前記無線通信デバイスに内蔵された電源を利用して作動する近距離無線通信手段とを備え、更に、前記無線通信デバイスは、前記近距離無線通信手段で受信したデジタル音声情報をアナログ音声情報に変換し、変換した前記アナログ音声情報を出力する音声情報出力手段を備えていることを特徴とする無線通信デバイス。
【請求項２】
請求項１に記載の無線通信デバイスであって、前記音声情報出力手段の出力を調整する手段を備えていることを特徴とする無線通信デバイス。
【請求項３】
請求項１または請求項２に記載の無線通信デバイスであって、前記音声情報出力手段は、イヤホンジャックまたはスピーカであることを特徴とする無線通信デバイス。
【発明の詳細な説明】
【技術分野】
【０００１】
本発明は、ＳＩＭなどのカード状の情報記憶媒体を内部に装着し使用する無線通信デバイスに関し、更に詳しくは、近距離無線通信の機能を備えた無線通信デバイスに関する。
【背景技術】
【０００２】
小型ＩＣチップを実装したＩＣカードは、ＩＣチップのメモリに機密情報（例えば、認証局の証明証など）を機密に格納できるため、ネットワークのログイン管理やドアゲートの入退室管理などの様々な用途で使用されている。
【０００３】
ただし、ＩＣカードを使用する際は、ＩＣカードとデータの通信を行うリーダライタが必要不可欠になるため、ＩＣカードの利便性を高めるべく、少なくとも、コンピュータに容易に接続するためのＵＳＢ（Universal Serial Bus）インターフェースと、内部に装着したＳＩＭ（Subscriber Identity Module）とデータ通信するためリーダライタの機能を兼ね備えたデバイスが開示されている（例えば、特許文献１、２および３）。
【０００４】
特許文献１で開示されているＳＩＭ（Subscriber Identity Module）およびＳＩＭホルダーは、ＩＳＯ７８１６規格に準じたリーダライタと、ＳＩＭがＩＳＯ１４４４３規格に準拠した無線通信をするためのアンテナと、ＵＳＢ（Universal Serial Bus）インターフェースとを、少なくとも備えたＳＩＭホルダーで、デュアルインターフェースのＳＩＭを内部に装着して使用する。
【０００５】
また、特許文献２で開示されているＳＩＭホルダーは、上述した機能に加えて、コンピュータと無線で通信する手段として近距離無線通信手段（例えば、ブルートゥース）を備えたＳＩＭホルダーである。加えて、特許文献３で開示されているＳＩＭホルダーは、ブルートゥースやＺｉｇＢｅｅなどの近距離無線通信で、一定時間間隔でデータを発信することのできるＳＩＭホルダーである。
【特許文献１】特開２００４−１１８７７１号公報
【特許文献２】特開２００４−２６４９１５号公報
【特許文献３】特願２００４−３２４００５号公報
【発明の開示】
【発明が解決しようとする課題】
【０００６】
上述したＳＩＭホルダーをＵＳＢインターフェースでコンピュータに接続する場合は、コンピュータのディスプレイを利用して、ＳＩＭホルダーのユーザに多くの情報を伝達することは可能である。しかし、ＳＩＭホルダーが外部端末と近距離無線通信で接続する場合は、ユーザが情報を確認する手段としてディスプレイしか備えていないため、ユーザに多くの情報を伝達することはできない問題がある。
【０００７】
上述したＳＩＭホルダーでは、ＳＩＭホルダーの携帯性を向上させるべく、ＳＩＭホルダーの寸法をできるだけ小型化（例えば、６２×３２×１７ミリ）している。当然のことながらＳＩＭホルダーを小型化すると、ＳＩＭホルダーに備えられたディスプレイも小型にする必要があるため、近距離無線通信で外部装置から送信される多くの情報をディスプレイに表示すること難しい。
【０００８】
そこで、本発明は、上述したＳＩＭホルダーに代表される近距離無線通信の機能を備えた無線通信デバイスにおいて、無線通信デバイスが近距離無線で通信しているときであっても、多くの情報をユーザに伝達することのできる無線通信デバイスを提供することを目的とする。
【課題を解決するための手段】
【０００９】
上述した課題を解決する本発明は、カード状の情報記憶媒体を装着し、無線データ通信機能を備えた無線通信デバイスであって、前記無線通信デバイスは、装着された前記情報記憶媒体と通信する手段と、前記情報記憶媒体に記憶されたデータまたはアプリケーションを利用する外部装置と無線で通信する手段として、前記無線通信デバイスに内蔵された電源を利用して作動する近距離無線通信手段とを備え、更に、前記無線通信デバイスは、前記近距離無線通信手段で受信したデジタル音声情報をアナログ音声情報に変換し、変換した前記アナログ音声情報を出力する音声情報出力手段を備えていることを特徴とする。
【００１０】
本発明において、音声情報を出力する前記音声情報出力手段とは、イヤホンジャックまたはスピーカが望ましく、更に、前記無線通信デバイスは、前記アナログ音声情報の出力を変更する手段を備えていることが望ましい。
【発明の効果】
【００１１】
上述した本発明によれば、前記無線通信デバイスが近距離無線で通信しているときには、ユーザに伝達すべき情報をデジタル音声情報で前記無線通信デバイスに送信すれば、近距離無線で前記無線通信デバイスが通信しているときであっても、多くの情報をユーザに伝達することができる。
【発明を実施するための最良の形態】
【００１２】
ここから、本発明の無線通信デバイスであるＳＩＭホルダーについて、図を参照しながら詳細に説明する。図１は、ＳＩＭホルダーの外観の一例を示した図である。
【００１３】
図１に示したようにＳＩＭホルダー１の左側には、ミニＢコネクタ（メス）であるＵＳＢコネクタ１６０を備え、ＳＩＭホルダー１の所有者の個人情報などが記憶されたＳＩＭ２を挿入するスロット１８がＳＩＭホルダー１の右側に設けられている。スロット１８からＳＩＭ２を挿入することで、ＳＩＭホルダー１内にＳＩＭ２が装着され、特許文献１から特許文献３などで開示されているような、パーソナルコンピュータとＵＳＢ接続可能なＳＩＭホルダーとして使用される。
【００１４】
更に、ＳＩＭホルダー１は外部装置と無線通信する近距離無線通信手段を備え、位置検知システム（LPS：Local Positioning System）などの無線端末と無線接続できる。近距離無線通信手段を実現するために必要な部品（例えば、電気回路やアンテナ等）は、ＳＩＭホルダー１の内部に内蔵され、ＳＩＭホルダー１の外側からは見えない構造となっている。
【００１５】
ＳＩＭホルダー１は、文字や画像で情報を伝達する手段としてタッチパネル付き液晶ディスプレイ１４０と、音声で情報を伝達する手段として、音声出力調整ダイヤル１２１で出力を調整できる機能を備えたイヤホンジャック１２０とを備えている。ユーザは、イヤホンジャック１２０に接続したイヤホン１２２を利用して、近距離無線通信手段で受信した音声情報を聞くことができる。
【００１６】
また、ＳＩＭホルダー１には、ユーザがＳＩＭホルダー１を操作する手段として、タッチパネル付き液晶ディスプレイ１４０に加え、電源ボタン１７を備えている。ユーザは、電源ボタン１７は用いてＳＩＭホルダー１の電源の入／切を操作でき、タッチパネル付き液晶ディスプレイ１４０のタッチパネルを利用して、タッチパネル付き液晶ディスプレイ１４０に表示される情報を選択・決定する操作が行える。
【００１７】
図２には、ＳＩＭホルダー１において電気的に接続される部品を示した図である。図２に示したように、ＳＩＭホルダー１には、図１で示した、ＵＳＢコネクタ１６０、タッチパネル付き液晶ディスプレイ１４０、イヤホンジャック１２０、音声出力調整ダイヤル１２１および電源ボタン１７以外に、ホルダーコントローラ１０、ＵＳＢコントローラ１６、液晶コントローラ１４、ＳＩＭコントローラ１５、接続端子板１５０、無線通信コントローラ１１、アンテナ１１０、音声変換ユニット１２およびバッテリー１３などの電気部品が内蔵される。
【００１８】
なお、図２には、図１で示したＳＩＭホルダー１の説明に必要な電気部品のみを記載している。ＳＩＭホルダー１には、図示していない他の電気部品（例えば、指紋センサなど）を備える。
【００１９】
バッテリー１３は、ＳＩＭホルダー１に備えられた各電気部品に電力を供給するために設けられている。図２に示したように、バッテリー１３と電源供給ライン１７ａの間には、電源ボタン１７が設けられ、この電源ボタン１７がＯＮ状態になると電源供給ライン１７ａに電力が供給され、図２に示した各電気部品にバッテリー１３から電力が供給される。
【００２０】
本実施の形態において、バッテリー１３は二次バッテリー（例えば、小型のリチウムバッテリー）を採用し、ＵＳＢコネクタ１６０がコンピュータのＵＳＢポートに接続されている間は、ＵＳＢバスパワー（bus power）からバッテリー１３に電力が充電される仕組みとしている。
【００２１】
図２において、ホルダーコントローラ１０とは、ＣＰＵ（Central Processing Unit）やメモリなどから構成される電気部品で、ＳＩＭホルダー１に備えられた各電気部品を制御する役割を果たす。
【００２２】
ホルダーコントローラ１０のＣＰＵを動作させるプログラムはメモリに記憶され、メモリは、ＣＰＵが実行するプログラムを記憶するフラッシュＲＯＭ（Read Only Memory）や、処理中のデータを一時的に記憶するＳＲＡＭ（Static Random Access Memory）など複数の種類の記憶素子から構成されている。
【００２３】
液晶コントローラ１４とは、タッチパネル付き液晶ディスプレイ１４０を駆動させ、ホルダーコントローラ１０から送信された情報をタッチパネル付き液晶ディスプレイ１４０に表示したり、タッチパネル付き液晶ディスプレイ１４０に表示された情報の中からユーザが選択した情報を取得するために設けられた電気部品である。
【００２４】
ＳＩＭコントローラ１５と接続端子板１５０とは、ＳＩＭホルダー１がＳＩＭホルダー１に装着されるＳＩＭ２とデータ通信し、ＳＩＭ２を利用するために設けられた電気部品である。
【００２５】
図３は、ＳＩＭホルダー１のスロット１８から挿入され、ＳＩＭホルダー１に装着されるＳＩＭ２を説明する図である。ＳＩＭ２とは、図３に示したように、接触型ＩＣカードのＩＣチップ近傍を短冊状に切り取った形状をしており、ＵＩＭ（User Identify Module）も図３に示したカード形状と同じ形状をしている。
【００２６】
本実施の形態において、ＳＩＭ２のＩＣチップ２０は、ＩＳＯ７８１６規格に準拠した８個の接触端子２１を有し、ＩＳＯ７８１６規格に準拠した接触通信に対応している。
更に、ＩＣチップ２０にはＳＩＭホルダー１の所有者を識別するデータ（以下、所有者識別データと記す）と、位置検知システム（LPS：Local Positioning System）用途に必要となるアプリケーションプログラムが少なくとも記憶されている。
【００２７】
なお、本実施の形態において、ＳＩＭ２は、ＩＳＯ７８１６規格に準拠した接触通信のみをサポートしているが、本出願人に係わる特許文献１で開示されている発明を本発明のＳＩＭ２に適用すれば、ＩＳＯ１４４４３規格に準拠した非接触近接通信による通信も可能である。加えて、本発明においては、ＩＣチップ２０に実装されるＯＳ（Operating System）およびアプリケーションプログラムの種別を問はない。
【００２８】
図４は、ＳＩＭ２がＳＩＭホルダー１に装着された状態を説明する図で、図４では説明に必要のない部品は省略している。図１に示したように、ストッパー１９などを設けることで、ＳＩＭホルダー１のスロット１８から挿入されたＳＩＭ２はＳＩＭホルダー１内の所定の位置に止まる。所定の位置にセットされたＳＩＭ２のＩＣチップ２０の面と対向する位置には、接続端子板１５０が設けられている。
【００２９】
図２や図４に示しているように、接続端子板１５０の表面には８個の接続端子１５１が設けられ、ＳＩＭ２が挿入されると、８個の接続端子１５１はＩＣチップ２０の８個の接触端子２１とそれぞれ接続し、ＳＩＭホルダー１とＳＩＭ２とは電気的に接続される。
【００３０】
ＳＩＭコントローラ１５は、ＳＩＭホルダー１に装着され、接続端子板１５０を介して電気的に接続されたＳＩＭ２との通信を制御する回路で、ＳＩＭ２を動作させるために必要な機能、例えば、クロック信号やリセット信号等の電気信号を生成する機能、ＩＳＯ７８１６に準拠した通信プロトコル（例えば、Ｔ＝１）を制御する機能などを有している。ホルダーコントローラ１０は、ＳＩＭコントローラ１５を制御することで、ＳＩＭ２とのデータ通信が可能になり、ＳＩＭ２に記憶されたデータやアプリケーションを利用できる。
【００３１】
ＳＩＭホルダー１に備えられたＵＳＢコントローラ１６は、ＵＳＢコネクタ１６０を利用して、ＳＩＭホルダー１と図外のコンピュータとＵＳＢ規格に準拠したデータ通信し、ＳＩＭホルダー１に装着されたＳＩＭ２を図外のコンピュータが利用できるために設けられている。
【００３２】
ＳＩＭホルダー１に備えられた無線通信コントローラ１１は、アンテナ１１０を利用して、ＳＩＭホルダー１と図外のコンピュータシステム（例えば、ＬＰＳ）と近距離無線通信を行う手段で、ＳＩＭホルダー１に装着されたＳＩＭ２をＬＰＳの用途などで利用できるために設けられている。
【００３３】
本実施の形態において、近距離無線通信で使用する周波数帯は２．４ＧＨｚ帯としている。ＳＩＭホルダー１に内蔵されたバッテリー１３の電力を利用し、２．４ＧＨｚ帯の周波数を使用する無線通信規格（例えば、Blue ToothやZigBee）で無線通信することで、最大３０ｍ程度までの通信距離を実現できる。
【００３４】
ＳＩＭホルダーに備えられた音声変換ユニット１２は、ＬＰＳなどの無線端末から近距離無線通信で送信されたデジタル音声情報をアナログ音声情報に変換し出力する手段である。図５は、ＳＩＭホルダーに備えられた音声変換ユニット１２を説明する図である。
【００３５】
図５に示したように音声変換ユニット１２は、圧縮されたデジタル音声情報を解凍するデコーダ１２ａと、デコーダ１２ａで解凍されたデジタル音声情報をアナログ音声情報に変換するデジタルアナログ変換器１２ｂと、デジタルアナログ変換器１２ｂから出力されるアナログ音声情報を増幅する増幅器１２ｃを備えている。
【００３６】
また、増幅器１２ｃには音声出力調整ダイヤル１２１が接続され、音声出力調整ダイヤル１２１を回転させることで増幅器１２ｃの可変抵抗の値が変わり、増幅器１２ｃの増幅率が変更され、アナログ音声情報の出力値が変更される。
【００３７】
無線通信コントローラ１１がアンテナ１１０を用いて無線端末から受信したデジタル音声情報は、圧縮された状態で音声変換ユニット１２に入力され、音声変換ユニット１２は、デコーダ１２ａでデジタル音声情報を解凍し、デジタルアナログ変換器１２ｂで解凍したデジタル音声情報をアナログ音声情報に変換した後、アナログ音声情報を増幅器１２ｃで増幅してイヤホンジャック１２０に出力する。ユーザは、イヤホンジャック１２０にイヤホン１２２を接続することで、無線端末から送信されるデジタル音声情報を聞くことができる。
【００３８】
なお、本実施の形態において、ＳＩＭホルダー１は音声で情報を伝達する手段としてイヤホンジャック１２０を備えているが、音声で情報を伝達する手段は小型のスピーカであってもよい。
【００３９】
図６は、本発明に係るＳＩＭホルダー１の利用方法を説明する図である。図６は、ＬＰＳを備えたオフィスの簡単な間取り図を示し、オフィスの各部屋にはＬＰＳ用の無線端末３が備えられている。
【００４０】
各部屋の居室者はＳＩＭホルダー１の機能を備えたＳＩＭホルダーを所持し、ＬＰＳの無線端末３のそれぞれはＳＩＭホルダーと近距離無線通信で通信し、ＳＩＭホルダーに記憶された所有者を識別するためのデータを取得し、どの居室者がどの部屋にいるか確認する。
【００４１】
そして、居室者に連絡すべき情報があった場合は、連絡すべき情報を伝達するためのデジタル音声情報を、対象となる居室者が所持するＳＩＭホルダーに近距離無線通信で送信し、居室者はイヤホンやスピーカを用いて連絡された情報を聞くことができる。
【図面の簡単な説明】
【００４２】
【図１】ＳＩＭホルダーの外観の一例を示した図。
【図２】ＳＩＭホルダーにおいて電気的に接続される部品を示した図。
【図３】ＳＩＭホルダーに装着されるＳＩＭを説明する図。
【図４】ＳＩＭがＳＩＭホルダーに装着された状態を説明する図。
【図５】音声変換ユニットを説明する図。
【図６】ＳＩＭホルダーの利用方法を説明する図。
【符号の説明】
【００４３】
１  ＳＩＭホルダー
１０  ホルダーコントローラ
１１  無線通信コントローラ
１２  音声変換ユニット
１２０  イヤホンジャック
１２１  音声出力調整ダイヤル
１２２  イヤホン
２  ＳＩＭ
【図１】
2007214881.tif 000003
【図２】
2007214881.tif 000004
【図３】
2007214881.tif 000005
【図４】
2007214881.tif 000006
【図５】
2007214881.tif 000007
【図６】
2007214881.tif 000008